【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
ビデオ情報を符号化するための装置であって、
複数のレイヤに関連付けられたビデオ情報を記憶するためのメモリと、
前記メモリに動作可能に結合されたプロセッサと、
を備え、前記プロセッサは、
符号化されるべき現在アクセスユニット（ＡＵ）に関連付けられた情報を取得することと、前記現在ＡＵが複数のレイヤからのピクチャを含み、前記複数のレイヤが符号化されるべき現在レイヤを含み、前記現在レイヤが符号化されるべき現在ピクチャを含む、
前記現在レイヤを含む１つまたは複数のレイヤに関連付けられた第１のフラグの値を決定することと、前記第１のフラグは、復号順序において前記現在ＡＵに先行する、前記第１のフラグが関連付けられた前記１つまたは複数のレイヤからのピクチャが、復号順序において前記現在ＡＵ内にあるかまたはそれに後続する別のピクチャの時間動きベクトル予測（ＴＭＶＰ）のために使用されることが可能であるかどうかを示す、
前記第１のフラグの前記値が１であると決定することに応答して、ＴＭＶＰが有効であるかどうかを示す第２のフラグの値に関係なく、復号順序において前記現在ＡＵに先行する、前記第１のフラグが関連付けられた前記１つまたは複数のレイヤからのいずれのピクチャをＴＭＶＰのための参照ピクチャとして使用することも控えることと、前記第２のフラグは、前記現在ピクチャに含まれるスライスのスライスヘッダに含まれる、
を行うように構成され、
前記第１のフラグが、補足エンハンスメント情報（ＳＥＩ）メッセージ中に含まれ、
前記第１のフラグが、前記第２のフラグよりも高い優先順位を有する、
装置。
【請求項２】
ビデオ情報を復号するための装置であって、
複数のレイヤに関連付けられたビデオ情報を記憶するためのメモリと、
前記メモリに動作可能に結合されたプロセッサと、
を備え、前記プロセッサは、
復号されるべき現在アクセスユニット（ＡＵ）に関連付けられた情報を取得することと、前記現在ＡＵが複数のレイヤからのピクチャを含み、前記複数のレイヤが復号されるべき現在レイヤを含み、前記現在レイヤが復号されるべき現在ピクチャを含む、
前記現在レイヤを含む１つまたは複数のレイヤに関連付けられた第１のフラグの値を決定することと、前記第１のフラグは、復号順序において前記現在ＡＵに先行する、前記第１のフラグが関連付けられた前記１つまたは複数のレイヤからのピクチャが、復号順序において前記現在ＡＵ内にあるかまたはそれに後続する別のピクチャの時間動きベクトル予測（ＴＭＶＰ）のために使用されることが可能であるかどうかを示す、
前記第１のフラグの前記値が１であると決定することに応答して、ＴＭＶＰが有効であるかどうかを示す第２のフラグの値に関係なく、復号順序において前記現在ＡＵに先行する、前記第１のフラグが関連付けられた前記１つまたは複数のレイヤからのいずれのピクチャをＴＭＶＰのための参照ピクチャとして使用することも控えることと、前記第２のフラグは、前記現在ピクチャに含まれるスライスのスライスヘッダに含まれる、
を行うように構成され、
前記第１のフラグが、補足エンハンスメント情報（ＳＥＩ）メッセージ中に含まれ、
前記第１のフラグが、前記第２のフラグよりも高い優先順位を有する、
装置。
【請求項３】
前記現在ＡＵ中の前記複数のレイヤのすべてについて、ＴＭＶＰが前記現在ピクチャのために有効でないと前記第２のフラグの前記値が示すとき、および前記現在ピクチャがゼロに等しい時間ＩＤを有するとき、復号順序において前記現在ＡＵに先行するピクチャが、復号順序において前記現在ＡＵ内にあるかまたはそれに後続する別のピクチャのＴＭＶＰのために使用されることが可能でない、請求項１または請求項２に記載の装置。
【請求項４】
前記現在ピクチャが瞬時復号リフレッシュ（ＩＤＲ）ピクチャを備える、請求項１または請求項２に記載の装置。
【請求項５】
前記装置が、デスクトップコンピュータ、ノートブックコンピュータ、ラップトップコンピュータ、タブレットコンピュータ、セットトップボックス、電話ハンドセット、スマートフォン、ワイヤレス通信デバイス、スマートパッド、テレビジョン、カメラ、ディスプレイデバイス、デジタルメディアプレーヤ、ビデオゲーミングコンソール、またはビデオストリーミングデバイスのうちの１つまたは複数を備える、請求項１に記載の装置。
【請求項６】
ビデオ情報を符号化する方法であって、
複数のレイヤに関連付けられたビデオ情報を記憶することと、
符号化されるべき現在アクセスユニット（ＡＵ）に関連付けられた情報を取得することと、前記現在ＡＵが複数のレイヤからのピクチャを含み、前記複数のレイヤが符号化されるべき現在レイヤを含み、前記現在レイヤが符号化されるべき現在ピクチャを含む、
現在ピクチャを含む現在アクセスユニット（ＡＵ）に関連付けられた第１のフラグの値を決定することと、前記第１のフラグは、復号順序において前記現在ＡＵに先行する、前記第１のフラグが関連付けられた前記１つまたは複数のレイヤからのピクチャが、復号順序において前記現在ＡＵ内にあるかまたはそれに後続する別のピクチャの時間動きベクトル予測（ＴＭＶＰ）のために使用されることが可能であるかどうかを示す、
前記第１のフラグの前記値が１であると決定することに応答して、ＴＭＶＰが有効であるかどうかを示す第２のフラグの値に関係なく、復号順序において前記現在ＡＵに先行する、前記第１のフラグが関連付けられた前記１つまたは複数のレイヤからのいずれのピクチャを前記現在ピクチャのＴＭＶＰのための参照ピクチャとして使用することも控えることと、前記第２のフラグは、前記現在ピクチャに含まれるスライスのスライスヘッダに含まれる、
を備え、
前記第１のフラグが、補足エンハンスメント情報（ＳＥＩ）メッセージ中に含まれ、
前記第１のフラグが、前記第２のフラグよりも高い優先順位を有する、
方法。
【請求項７】
ビデオ情報を復号する方法であって、
複数のレイヤに関連付けられたビデオ情報を記憶することと、
復号されるべき現在アクセスユニット（ＡＵ）に関連付けられた情報を取得することと、前記現在ＡＵが複数のレイヤからのピクチャを含み、前記複数のレイヤが復号されるべき現在レイヤを含み、前記現在レイヤが復号されるべき現在ピクチャを含む、
現在ピクチャを含む現在アクセスユニット（ＡＵ）に関連付けられた第１のフラグの値を決定することと、前記第１のフラグは、復号順序において前記現在ＡＵに先行する、前記第１のフラグが関連付けられた前記１つまたは複数のレイヤからのピクチャが、復号順序において前記現在ＡＵ内にあるかまたはそれに後続する別のピクチャの時間動きベクトル予測（ＴＭＶＰ）のために使用されることが可能であるかどうかを示す、
前記第１のフラグの前記値が１であると決定することに応答して、ＴＭＶＰが有効であるかどうかを示す第２のフラグの値に関係なく、復号順序において前記現在ＡＵに先行する、前記第１のフラグが関連付けられた前記１つまたは複数のレイヤからのいずれのピクチャを前記現在ピクチャのＴＭＶＰのための参照ピクチャとして使用することも控えることと、前記第２のフラグは、前記現在ピクチャに含まれるスライスのスライスヘッダに含まれる、
を備え、
前記第１のフラグが、補足エンハンスメント情報（ＳＥＩ）メッセージ中に含まれ、
前記第１のフラグが、前記第２のフラグよりも高い優先順位を有する、
方法。
【請求項８】
前記現在ＡＵ中の前記複数のレイヤのすべてについて、ＴＭＶＰが前記現在ピクチャのために有効でないと前記第２のフラグの前記値が示すとき、および前記現在ピクチャがゼロに等しい時間ＩＤを有するとき、復号順序において前記現在ＡＵに先行するピクチャが、復号において前記現在ＡＵ内にあるかまたはそれに後続する別のピクチャのＴＭＶＰのために使用されることが可能でない、請求項６または請求項７に記載の方法。
【請求項９】
前記現在ピクチャが瞬時復号リフレッシュ（ＩＤＲ）ピクチャを備える、請求項６または請求項７に記載の方法。
【請求項１０】
コンピュータハードウェアを備えるプロセッサ上で実行されたとき、請求項６〜請求項９のいずれか一項に記載の方法を前記プロセッサに実行させる命令を備える非一時的コンピュータ可読媒体。